(57)【要約】  本発明は、容器内にかみそり刃カートリッジを保持する容器であり、柄はかみそり刃カートリッジに取り付けられており、柄の一部は容器内にあり、他の部分は、弧状の柄の支持台の上で、容器の外に延びている。容器は、容器を閉じた状態で維持するためにばね付勢されており、柄及び柄に取り付けられたかみそり刃カートリッジが容器から取り外し可能なようにばね力を超え、容器を開かせる力を与える必要があり、柄及びかみそり刃カートリッジが取り外された後には、ばねの閉じ力により容器がパチンと閉まり、かみそり刃カートリッジ及び柄を伴う安全かみそりは即座に使用できる状態にある。
2015509780.tif 000002
【特許請求の範囲】
【請求項１】
かみそり刃カートリッジ及び該カートリッジに取り付けられた柄を有する安全かみそりに用いられる容器であって、
（ａ）ここで、前記容器は、全体が卵形の形成をもち、前方端に開口部を有し、後方端近くに回転軸が有する、密閉容器を形成する上部及び底部を備え、該上部及び底部は、前記容器の開閉のために前記回転軸を中心に回転可能であり、前記上部及び底部は内部チャンバを画成し、
（ｂ）前記回転軸に巻装された閉付勢ばねを備え、該閉付勢ばねは、前記容器を閉じるために、一体となるように前記上部及び底部に力を作用させ、前記上部の後部への下方力及び前記底部の後部への上方力が、前記閉付勢ばね力を超えると、前記容器が開き、
（ｃ）前記内部チャンバ及び前記容器の前方端の前記開口部は、前記容器を開けたときに、前記安全かみそりが容器を壊さずに取り出され、ただちに使用できる状態にするために、前記かみそり刃カートリッジが完全に前記内部チャンバ内に保持されるとともに、前記柄の一部分が容器の内部チャンバ内にあり、前記柄の他の部分が前記容器の前方端の前記開口部から外に延びる、ことを特徴とする容器。
【請求項２】
請求項１に記載の容器であって、
（ａ）前記容器を開けたときに、前記安全かみそりの鋭い刃が容器の外側に向くことを回避するために、前記かみそり刃が前記内部チャンバの内部に向くように、前記かみそり刃カートリッジが前記内部チャンバ内に保持されることを特徴とする容器。
【請求項３】
請求項１に記載の容器であって、
（ａ）前記内部チャンバ内に、隆起壁を有する内部空洞を備え、前記隆起壁が、前記内部チャンバの内壁と結合し、前記かみそり刃カートリッジを前記容器内に固定された状態で保持する、ことを特徴とする、容器。
【請求項４】
請求項３に記載の容器であって、
（ａ）前記空洞内に消毒剤を有することを特徴とする容器。
【請求項５】
請求項１に記載の容器であって、
（ａ）前記付勢ばね力を超えた容器を開かせる力が除かれた後、前記容器が、前記閉付勢ばね力により閉じられることを特徴とする容器。
【請求項６】
請求項１に記載の容器であって、
（ａ）前記容器が、プラスチックポリエチレン及び金属からなる群から選択される材料から製造されることを特徴とする容器。
【請求項７】
容器であって、
（ａ）該容器を閉じるために後部にばね付勢閉機構を有する、ばね付勢された密閉容器からなり、
（ｂ）前記容器は内部チャンバを有し、該内部チャンバ内には、一部分が前記容器内にあり、その他の部分が前記容器の開口部から外へ延びる柄に取り付けられた少なくとも一つのかみそり刃カートリッジが保持され、安全かみそりは、前記容器がばねの閉じ力を超える力によって開かれたときに、安全かみそりをただちに使用できる状態で保持されることを特徴とする容器。
【請求項８】
請求項７に記載の容器であって、
（ａ）安全かみそり刃カートリッジ用の柄が、該カートリッジに保持されたかみそり刃が前記内部チャンバ内に向いた状態で、前記内部チェンバ内に保持されるように、前記容器は付勢ばね閉じ力により閉じられ、
（ｂ）前記付勢ばねの閉じ力を超えるようにして、前記容器の後部を押すことで、前記カートリッジの後ろ側が露出され、前記かみそり刃カートリッジに取り付けられた安全かみそりの前記柄が取り出され、前記かみそり刃カートリッジ及びそこに取り付けられた前記柄が取り出された後に、前記容器が前記付勢ばねの閉じ力により自動的に閉じられることを特徴とする容器。
【請求項９】
請求項７に記載の容器であって、
（ａ）前記容器は、かみそり刃カートリッジ及び取り付けられた柄を有する安全かみそりを、使用できる状態のまま保持し、前記かみそり刃カートリッジ内のかみそり刃に手を誤って触れて指を傷つけることなく、髭を剃るために前記安全かみそりが使用可能であることを特徴とする、容器。
【請求項１０】
かみそり刃カートリッジを有する安全かみそり及び該カートリッジに取り付けられている柄のための容器であって、
（ａ）ここで、前記容器は、全体が卵形であり、上部、外部上面、前方開口部の全体のうちの上半分を構成する開口部を有する前端、後端を備え、該後端はこの後端に隣接する外部上面上に指用くぼみを有し、前記上部は前記外部上面から下方へと延びる後壁を有し、さらに下部円周リムをも有し、
（ｂ）前記容器は、さらに、前記上部と鏡像関係にある整合する底部を有し、該底部は、外部底面、前記前方開口部全体のうちの下半分を構成する開口部を有する前端、後端を備え、該後端はこの後端に隣接する外部底面上の指用くぼみを有し、前記底部は、前記外部底面から上方へと延びる後壁を有し、前記両後壁は一致するように整合し、前記底面は上部円周リムを有し、前記上部及び底部は一致して全体として卵形を形成するように整合し、前記上部円周リムと前記底部円周リムは整合し、前記両開口部は、前記前方開口部全体を形成するように整合し、これにより、前記外部上面及び外部底面は、内部チャンバを画成するように整合し、
（ｃ）前記上部の前記後端の下面と前記底部の前記後端の上面との間の位置に、前記両後壁に隣接して取り付けられるばね付勢される開閉組立体を備え、
ここで、前記下面及び上面は整合し、前記両後壁の後方に位置し、前記ばね付勢される開閉組立体は、前記底部の前記後端の前記上面に取り付けられた下側円弧状部を有する第一の下部円弧状支柱、前記底部の前記後端の前記上面に取り付けられた下側円弧状部を有する第二の下部円弧状支柱を備え、第一の下部円弧状支柱と第二の下部円弧状支柱は離れて平行に設けられており、前記第一の下部円弧状支柱は開口部を有し、前記第二の下部円弧状支柱は開口部を有し、第一の上部円弧状支柱が、前記上部の前記後端の前記下面に取り付けられ、そこから下方に延びており、前記第一の下部円弧状支柱内の前記開口部と整合する開口部を有し、前記第一の上部円弧状支柱と平行な第二の上部円弧状支柱が、前記上部の前記後端の前記下面に取り付けられ、そこから下方に延びており、前記第二の下部円弧状支柱内の前記開口部と整合する開口部を有し、前記二つの上部円弧状支柱は、前記二つの下部円弧状支柱のちょうど内側に位置し、軸として機能するダボが、前記四つの開口部を通過して延び、前記四つの支柱によって支持されており、付勢ばねが前記ダボに巻装され、前記付勢ばねは端部を有し、第一のばね端部は前記上部の前記後端の前記上面に接するように設けられ、第二のばね端部は前記底部の前記後端の前記上面に接するように設けられ、
（ｄ）前記付勢ばねは、前記容器を閉じた状態にするために、前記容器の前記上部と底部とを共に押し付け、前記指用くぼみに対する押しつけ力が前記付勢ばねの閉じ力を超えるとき、前記上部が前記底部から離れ、前記ダボが前記上部及び底部が回転する支点として作用し、
（ｅ）前記容器が閉じた状態となったとき、前記上部及び底部によって囲まれている内部チャンバを有し、ここで該内部チャンバは、さらに、隆起壁を有する空洞を備え、
（ｆ）安全かみそりが前記内部チャンバ内に挿入され、それにより、かみそり刃カートリッジは完全に前記内部チャンバ内にあり、前記底部の内部の下壁の一部及び前記空洞の隆起壁により保持され、かみそり刃カートリッジ内のかみそり刃は、人がかみそり刃で誤ってけがをしないように、前記内部チャンバ内で前記底部の内部表面に向き、安全かみそりの柄が、かみそり刃カートリッジに取り付けられており、その一部は前記内部チャンバ内にあり、前記上部及び底部によって形成される前記前方開口部から外側に延び、
（ｇ）安全かみそりを使用するために、前記容器は、閉付勢ばねの閉じ力を超える力により開かれ、前記容器が開いた状態にあるときに、安全かみそりは直ちに取りだされて使用の準備がなされることを特徴とする容器。
【請求項１１】
かみそり刃カートリッジを有する安全かみそり及び該カートリッジに取り付けられている柄のための容器であって、
（ａ）ここで、前記容器は、前方端に開口部を有し、後方端近くに回転軸を有する、密閉容器を形成する上部及び底部を備え、該上部及び底部は、容器を開閉するために前記回転軸を中心に回転可能であり、前記上部及び底部は内部チャンバを画成し、
（ｂ）前記軸と組み合わされる閉付勢部材を備え、該閉付勢部材は、前記容器を閉じるために、一体となるように前記上部と底部に力を作用させ、前記容器への力が前記閉付勢力を超えると、前記容器が開き、
（ｃ）前記内部チャンバ及び前記容器の前方端の前記開口部は、前記容器を開けたときに、前記安全かみそりが容器を壊さずに取り出され、ただちに使用できる状態にするために、前記かみそり刃カートリッジが完全に前記内部チャンバ内に保持されるとともに、前記柄の一部分が容器の内部チャンバ内にあり、前記柄の他の部分が前記容器の前方端の前記開口部から外に延びる、ことを特徴とする容器。
【請求項１２】
請求項１１に記載の容器であって、
（ａ）前記容器を開けたときに、前記安全かみそりの鋭い刃が容器の外側に向くことを回避するために、前記かみそり刃が前記内部チャンバの内部に向くように、前記かみそり刃カートリッジが前記内部チャンバ内に保持されることを特徴とする容器。
【請求項１３】
請求項１１に記載の容器であって、
（ａ）前記内部チャンバ内に、隆起壁を有する内部空洞を備え、前記隆起壁が、前記内部チャンバの内壁と結合し、前記かみそり刃カートリッジを前記容器内に固定された状態で保持する、ことを特徴とする容器。
【請求項１４】
請求項１３に記載の容器であって、
（ａ）前記空洞内に消毒剤を有することを特徴とする容器。
【請求項１５】
請求項１１に記載の容器であって、
（ａ）前記閉付勢力を超え、容器を開かせる力が除かれた後、前記容器が、前記閉付勢力により閉じられることを特徴とする容器。
【請求項１６】
請求項１１に記載の容器であって、
（ａ）前記容器が、プラスチックポリエチレン及び金属からなる群から選択される材料から製造されることを特徴とする容器。
【請求項１７】
容器であって、
（ａ）該容器を閉じるために後部に付勢閉機構を有する、付勢された密閉容器からなり、
（ｂ）前記容器は内部チャンバを有し、該内部チャンバ内には、一部分が前記容器内にあり、その他の部分が前記容器の開口部から外へ延びる柄に取り付けられた少なくとも一つのかみそり刃カートリッジが保持され、安全かみそりは、前記容器が付勢閉じ力を超える力によって開かれたときに、安全かみそりをただちに使用できる状態で保持されることを特徴とする容器。
【請求項１８】
請求項１７に記載の容器であって、
（ａ）安全かみそり刃カートリッジ用の柄が、該カートリッジに保持されたかみそり刃が前記内部チャンバ内に向いた状態で、前記内部チェンバ内に保持されるように、前記容器は付勢閉じ力により閉じられ、
（ｂ）前記付勢閉じ力を超えるようにして、前記容器の後部を押すことで、前記カートリッジの後ろ側が露出され、前記かみそり刃カートリッジに取り付けられた安全かみそりの前記柄が取り出され、前記かみそり刃カートリッジ及びそこに取り付けられた前記柄が取り出された後に、前記容器が前記付勢閉じ力により自動的に閉じられることを特徴とする容器。
【請求項１９】
請求項１７に記載の容器であって、
（ａ）前記容器は、かみそり刃カートリッジ及び取り付けられた柄を有する安全かみそりを、使用できる状態のまま保持し、前記かみそり刃カートリッジ内のかみそり刃に手を誤って触れて指を傷つけることなく、髭を剃るために前記安全かみそりが使用可能であることを特徴とする、容器。
【発明の詳細な説明】
【技術分野】
【０００１】
本発明は、安全かみそりの柄に取り付けられるかみそり刃カートリッジを保持するための保持器の分野に関するもので、本発明に係る安全かみそりは容器から取り外された際に、即座に使用できる状態となっている。
【背景技術】
【０００２】
以下の１０件の特許及び公開された特許出願は、本発明に関連するものである。
１．１９５１年５月８日に発行されたマルクスＣ・トンプソンの米国特許第２，５５１，８５９号「かみそりの支持方法」（以下、「トンプソン特許」という）
２．１９６７年１０月１７日にセオドアＪ・ハリスに与えられた米国特許第３，３４６，９５２号「安全かみそり保持器及び容器」（以下、「ハリス特許」という。）
３．１９６７年１１月１４日に発行されたジョージＡ・フィッシャーの米国特許第３，３５２，６３０号「かみそり滅菌器」（以下、「フィッシャー特許」という。）
４．１９９７年４月１日に発行されたジェラルドＡ・スフェラッツァ・ジュニアの米国特許第５，６１５，８５８号「かみそり用保持器」（以下、「スフェラッツァ特許」という。）
５．２０００年１１月１４日に発行されたジェリー・コックスの米国特許第６，１４５，６５７号「シェービングかみそり用収納装置」（以下、「コックス特許」という。）
６．２００９年３月５日に発行された公開されたダグラス・ロバート・コーリング及びその他の者の米国特許出願第２００９／００５６１５１号「固定されたカートリッジを有するかみそり収納容器」（以下、「００５６１５コーリング公開特許出願」という。）
７．２００９年３月５日に公開されたダグラス・ロバート・コーリング及びその他の者の米国特許出願第２００９／００５７１７０号「接合閉鎖部材を有するかみそり収納容器」（以下、「００５７１７０コーリング公開特許出願」という。）
８．２００９年７月９日に公開されたジョン・プラデン・ジュニア及びその他の者の米国特許出願第２００９／０１７２９５８号「回転抑止かみそり収納容器」（以下、「プラデン公開特許出願」という。）
９．２００９年７月２３日に公開されたライアン・ローレンス・ジョンソンの米国特許出願第２００９／０１８３３７９号「自浄式刃かみそり保持器」（以下、「ローレンス公開特許出願」という。）
１０．２００９年７月３０日に公開されたアンクール・プロヒットの米国特許出願第２００９／０１８８８１６号「湿式かみそり収納システム及び容器」（以下、「プロヒット公開特許出願」という。）
【０００３】
トンプソン特許では、安全かみそりを完全に容器内に保持するための容器が開示されている。この発明では、ばね付勢された容器を有するという概念が開示されており、その容器内に安全かみそり全体が、完全に収納されている。
【０００４】
ハリス特許では、安全かみそり保持器及び容器が開示されている。この器具は、この特許の刊行物の図１に最もよく示されるように、基本的にはかみそりを保持するように設計されている。空洞の外側の角７は、かみそりヘッドの前面と全体的に対応するように丸みを帯びている。一方、内側の角１８の各々は、対応するかみそりヘッドの内面２０と係合するための肩部１９を画成する。
【０００５】
フィッシャー特許では、容器内に完全に安全かみそりを収容する容器の概念が開示されている。具体的には、以下の内容が開示されている。
「刃の装着ヘッドが消毒液に浸かった状態で、かみそりヘッドを縦方向に収めるための容器であり、その容器は、ふたを開けて容器からかみそりを取り外すために、水平方向に置かれる。消毒液は、容器が水平方向にあるときの液漏れを防ぐため、内部ポケットに貯えられている。」
【０００６】
スフェラッツァ特許では、弧状の柄を有するシェービング装置用の壁掛けホルダーが開示されている。この刊行物の図１に最もよく示されるように、この装置は本質的にカップを有しており、カップ内に安全かみそりが保持された状態で壁に取り付けられ得る。
【０００７】
コックス特許では、シェービングかみそり用収納装置が開示されている。この点で、この装置は容器であり、安全かみそりは、柄が容器の外に延びた状態で容器内に収納される。かみそりの柄を受け入れ可能なハンドルスロット６は、頂部２７に形成される。好ましい態様では、ハンドルスロット６は、この刊行物の図１に示すように中央に設けられる。
【０００８】
コーリング公開特許出願では、以下の内容が開示されている。
「かみそりの収納に適した湿式かみそり容器であり、かみそりはカートリッジ及びそれに隣接した柄を有し、容器は、柄の受容凹部を備える上側部分と、上側部分に結合される下側部分を備え、下側部分は前方レバレッジサポートと後方レバレッジサポートとの間に配置された下側部分間隔保持部材とを備え、カートリッジは、かみそりの前面が容器内に挿入される際に、前方レバレッジサポートと係合することを特徴とする、湿式かみそり容器。」
【０００９】
コーリング公開特許出願では、接合閉鎖部材を有するかみそり収納容器が開示されている。以下の内容が開示されている。
「カートリッジ及び隣接した柄を有するかみそりの収納に適した湿式かみそり容器であって、周縁に配置されたカートリッジ押さえ付け部材と、柄の受容凹部とを含む上側部分と、上側部分に連結され、周縁に沿って配置された係合部材を含む下側部分とを備え、上側部分が下側部分上に閉じられた際に、押さえ付け部材が、容器内部でカートリッジを固定するとともに係合部材と係合することによって、上側部分を下側部分上に閉じた状態に維持する、湿式かみそり容器。」
【００１０】
プラデン公開特許出願では、以下の内容が開示されている。
「カートリッジ及び隣接した柄を有するかみそりの収納に適した湿式かみそり容器であって、カートリッジは、柄を回転軸として回転する。容器は、下側部分と上側部分を含む。上側部分は、柄の受容凹部を備え、開位置と閉位置との間に取り外し可能に下側部分に固定されている。閉位置にある場合には、カートリッジは容器内に位置し、柄は容器から延び、容器はカートリッジが柄を軸として回転することを防ぐ。」
【００１１】
ジョンソン公開特許出願では、自浄式刃かみそり保持器が開示されている。具体的には、以下の内容が開示されている。
「本発明は、二つの型のかみそり保持器を含んでおり、自浄式刃かみそりハンガー及び自浄式刃かみそりスタンドである。自浄式刃かみそりハンガーは、ホック、カップ型容器、ヒンジ蓋又はヒンジカバー及び受け台を有する。ホックは、棒、棚板、かご又は鉛管類（これらに限定されない）を含む水平物を引っ掛けるのに適したものである。カップ型容器は、（ａ）（１）消毒用アルコール、（２）床屋／美容院で用いられる殺菌剤又は（３）シェービング・オイル（これらに限定されない）のような洗浄剤及び消毒剤を保持するため、並びに（ｂ）刃を含むかみそりヘッド全体を、前記洗浄剤及び消毒剤の中に保持及び浸からせるためのものである。ヒンジ蓋又はヒンジカバーは、前記カップ型容器上にあり、前記蓋若しくはカバーを介してかみそりの柄が突出するように前記蓋若しくはカバーには、くぼみ若しくは溝が設けられている。受け台は、前記かみそりの柄を直立位置に支持するために前記ホックに固定されている。」
【００１２】
プロヒット公開特許出願では、湿式かみそり収納システム及び容器が開示されている。具体的には、以下の内容が開示されている。
「髭剃りの間、湿式かみそりのヘッド及び切刃は液を含んでおり、かみそりの柄を、液を含まない乾いた状態に保持するための収納容器である。容器内の液は、疎水材及び吸湿材並びに抗ウイルス材及び抗細菌物質の混合物から成り、収納されていない間に水と空気にさらされることによる切刃の酸化を抑えるのに効果的であり、快適なひげ剃りのために刃を鋭く、衛生的に保つのにも効果的である。これらの材料は、具体的には鉱油、塩化カルシウム（ＣａＣｌ）、及びナノ金又はナノ銀でもよい。」
【発明の概要】
【課題を解決するための手段】
【００１３】
本発明のさらなる新たな特徴及び他の目的は、以下の詳細な説明、検討及び特許請求の範囲より、図面と併せて明らかになるであろう。
【００１４】
本発明は、容器内にかみそり刃カートリッジを保持する容器であり、柄はかみそり刃カートリッジに取り付けられており、柄の一部は容器内にあり、他の部分は、弧状の柄の支持台の上で、容器の外に延びている。
【００１５】
容器は、容器を閉じた状態で維持するためにばね付勢されており、柄及び柄に取り付けられたかみそり刃カートリッジが容器から取り外し可能なように、ばね力を超え、容器を開かせる力を与える必要があり、柄及びかみそり刃カートリッジが取り外された後には、ばねの閉じ力により容器がパチンと閉まり、かみそり刃カートリッジ及び柄を有する安全かみそりは即座に使用できる状態にある。
【００１６】
したがって、本発明の目的は、容器を閉じるために、後部にばね付勢機構を有するばね付勢された密閉容器を提供することである。容器は内部チャンバを有し、内部チャンバ内には、一部分が容器内にあり、その他の部分が容器の外へ延びる柄に取り付けられた少なくとも一つのかみそり刃カートリッジが保持されており、安全かみそりは、容器がばねの閉じ力を超える力によって開かれたときに、安全かみそりが即座に使える状態で保持されている。この技術革新には、二つの要素がある。第一に、多数の安全かみそり刃カートリッジ用の柄が、刃を鋭いままの状態に確実に保持するために、刃の先端が下を向く状態で保持されるように、容器にはばねによる閉付勢力がかかっている。容器の後部を押し、ばねの付勢力を超えることにより、カートリッジの後部が露出され、かみそり刃カートリッジに取り付けられた安全かみそりの柄が取り外され、かみそり刃カートリッジ及びそこに取り付けられた柄が取り外された後に、容器が閉じられ得る。
【００１７】
さらなる本発明の目的は、かみそり刃カートリッジ及びそこに取り付けられた柄が使用状態で保持される容器を提供することであり、その結果、かみそり刃又はカートリッジに手を触れず、したがって、誤って指を傷つけることなく、安全かみそりは髭を剃るために用いられ得る。
【００１８】
さらなる本発明の目的は、安全かみそり刃に細菌が無いという衛生な状態を保つために、チャンバ内に防腐性錠剤の入った容器を提供することである。
【００１９】
本発明のさらなる新たな特徴及び他の目的は、以下の詳細な説明、検討及び特許請求の範囲より、図面と併せて明らかになるであろう。
【００２０】
以下に示した図は、説明のためにのみ用いられるものであり、これらに限定されるわけではない。
【図面の簡単な説明】
【００２１】
【図１】図1は、安全かみそり容器内に保持される安全かみそりカートリッジがない本発明の安全かみそり容器の上面斜視図である。
【図２】図2は、安全かみそり容器内に保持される安全かみそりカートリッジがない本発明の安全かみそり容器の正面斜視図である。
【図３】図３は、安全かみそり容器内に保持される安全かみそりカートリッジがない本発明の安全かみそり容器の平面図である。
【図４】図４は、安全かみそり容器内に保持される安全かみそりカートリッジがない本発明の安全かみそり容器の底面図である。
【図５】図５は、安全かみそり容器内に保持される安全かみそりカートリッジがない本発明の安全かみそり容器の右側面図である。
【図６】図６は、安全かみそり容器内に保持される安全かみそりカートリッジがない本発明の安全かみそり容器の左側面図である。
【図７】図７は、安全かみそり容器内に保持される安全かみそりカートリッジがない本発明の安全かみそり容器の正面図である。
【図８】図８は、安全かみそり容器内に保持される安全かみそりカートリッジがない本発明の安全かみそり容器の背面図である。
【図９】図９は、安全かみそり容器内に保持される安全かみそりカートリッジがない本発明の安全かみそり容器の開いた状態を示す側面斜視図である。
【図１０】図１０は、安全かみそり容器内に保持される安全かみそりカートリッジ及び一部分が容器内に保持され、その他の部分が容器の外へ延びる柄がある本発明の安全かみそり容器の開いた状態を示す側方斜視図である。
【図１１】図１１は、安全かみそり容器内に保持される安全かみそりカートリッジ及び一部分が容器内に保持され、その他の部分が容器の外へ延びる柄がある本発明の安全かみそり容器の閉じた状態を示す側面斜視図である。
【発明を実施するための形態】
【００２２】
図面を参照して、本発明の具体的態様が説明されるが、この態様は、本発明の原理の適用を示す多数の可能な具体的態様のうちのいつくかを説明するものにすぎないことは理解されよう。本発明の属する当業者にとって明らかな様々な変更及び修正は、特許請求の範囲に画成された本発明の思想、範囲及び概念内にあるとみなされる。
【００２３】
最初の八つの図面は、安全かみそり刃カートリッジ及び柄が入っていない、閉じた状態の本発明の保持器１０を示す。図1は、安全かみそり容器１０内に保持される安全かみそりカートリッジがない本発明の安全かみそり容器１０の上面斜視図である。図２は、安全かみそり容器１０内に保持される安全かみそりカートリッジがない本発明の安全かみそり容器１０の正面斜視図である。図３は、安全かみそり容器１０内に保持される安全かみそりカートリッジがない本発明の安全かみそり容器１０の平面図である。図４は、安全かみそり容器１０内に保持される安全かみそりカートリッジがない本発明の安全かみそり容器１０の底面図である。図５は、安全かみそり容器１０内に保持される安全かみそりカートリッジがない本発明の安全かみそり容器１０の右側面図である。図６は、安全かみそり容器１０内に保持される安全かみそりカートリッジがない本発明の安全かみそり容器１０の左側面図である。図７は、安全かみそり容器１０内に保持される安全かみそりカートリッジがない本発明の安全かみそり容器１０の正面図である。図８は、安全かみそり容器内に保持される安全かみそりカートリッジがない本発明の安全かみそり容器１０の背面図である。
【００２４】
図１から図８を参照して、本発明である容器の構成要素が説明される。容器１０は、全体が卵形であり、上部２０、外部上面２２、前面開口部３８全体のうちの上半分を構成する開口部２６を有する前端２４並びに後端２８に隣接する外部上面２２上の上部開口部３０及び指用くぼみ３２を有する後端２８を備える。上部２０は、外部上面２２から下方へと延びる後壁３４を有する。また、外部上面は下部円周リム３６を有する。
【００２５】
容器は、さらに、上部２０と鏡像関係にある接合底部４０、外部底面４２を含む底部、前面開口部３８全体のうちの下半分を構成する開口部４６を有する前端４４、後端５０に隣接する外部底面４２上の指用くぼみ４８を備える。底部４０は、底面４２から上方へと延びる後壁５２を有する。後壁３４と５２は整合し、かみ合っている。底面４２は、上部円周リム５４を有する。上部円周リム３６と底部円周リム５４が整合し、この整合により、上部２０及び底部４０は全体として卵形を形成するように整合し、一致する。前面開口部２６及び４６は、前面開口部３８全体を形成するように整合される。したがって、上面２０及び底面４０は、内部チャンバ６０を囲むように整合される。
【００２６】
ばね付勢された開閉組立体７０は、後壁３４及び５２に隣接するようにして、上部２０の後端２８の下面１８と底部４０の後端５０の上面５６との間の位置に取り付けられる。下面１８と上面５６は整合され、それぞれ後壁３４及び５２の後方に位置する。ばねが好ましい閉鎖手段であるが、他の付勢閉部材もまた、本発明の精神及び範囲内にある。
【００２７】
ばね付勢された開閉組立体７０は、底部４０の後端５０の上面５６に取り付けられた下側円弧状部７４を有する第一の下部円弧状支柱７２を備える。開閉組立体７０は、さらに、底部４０の後端５０の上面５６に取り付けられた下側円弧状部７８を有する第二の下部円弧状支柱７６を備え、第一の下部円弧状支柱７２と第二の下部円弧状支柱７６とは離れて平行に設けられている。第一の下部円弧状支柱７２は開口部８０を有し、第二の下部円弧状支柱７６は開口部８２を有する。第一の上部円弧状支柱８６は、上部２０の後端２８の下面１８に取り付けられ、そこから下方に延びており、開口部８０と整合する開口部を有する。第一の上部円弧状支柱８６と平行な第二の上部円弧状支柱９０は、上部２０の後端２８の下面１８に取り付けられ、そこから下方に延びており、開口部８２と整合する開口部を有する。二つの上部円弧状支柱８６及び９０は、それぞれ二つの下部円弧状支柱７２及び７６のちょうど内側に位置する。
【００２８】
ダボ１００は、四つの開口部８０、他の二つの図示されていない開口部と開口部８２を介して延び、四つの支柱７２、８６、９０及び７６によって支持されている。バイアスばね１１０はダボ１００に巻装され、ばね端部を有し、第一のばね端部１０２は上部２０の後端２８の上面１８に接するように設けられ、第二のばね端部１０４は底部４０の後端５０の上面５６に接するように設けられている。
【００２９】
バイアスばね１１０は、容器１０を閉じた状態にするために、容器１０の上部２０と底部４０を共に押し付ける。指用くぼみ３２及び４８に対する押しつけ力がバイアスばねの閉じ力を超えると、底部４０から上部２０が離れ、このときダボ１００は、上部２０及び底部４０が回転する支点として作用する。
【００３０】
図９には、容器１０が閉じられたときの上部２０及び底部４０によって囲まれている内部チャンバ６０と共に、開いた状態の容器１０が示されている。内部チャンバ６０は、さらに消毒剤１２０が挿入される空洞１３０を備える。
【００３１】
図１０に示されているように、安全かみそり２００が内部チャンバ６０内に挿入され、それにより、かみそり刃カートリッジ２１０は完全に内部チャンバ６０内にあり、底部４０の内部の下壁４１及び下部の空洞１３０の隆起壁１３２の一部により保持されている。かみそり刃カートリッジ２１０内のかみそり刃２２０は、人がかみそり刃２２０で誤ってけがをしないように、底部４０の内部表面４３に向かって内部チャンバ内に位置している。安全かみそりの柄２３０は、かみそり刃カートリッジ２１０に取り付けられており、その一部は内部チャンバ１２０内にあり、部分開口部２６及び４８によって形成される開口部３８から外側に延びる。
【００３２】
図１１に、部分開口部２６及び４６によって形成される開口部３８から外側に延びる柄２３０の一部と共に、閉じた状態の容器１０が示されている。
【００３３】
安全かみそりを使用するために、容器１０は、前述したばねの閉付勢力を超える力により開いており、容器１０が図１０に示すように開いた状態にあるときに、安全かみそり２００は速やかに取り外され、即時の使用の準備がなされる。消毒剤により、かみそり刃２３０には細菌が無い状態となる。
【００３４】
容器１０はプラスチックポリエチレン及び金属からなる群から選択される原料から製造され得る。
【００３５】
本発明は、その形態の少なくとも１つの完全で公的な開示を提供することによって、特許法に従って詳細に記載されている。しかしながら、このような詳細な記載は、本発明の広範な特徴若しくは原理、又は特許の付与される範囲を限定することを決して意図するものではない。したがって、本発明は特許請求の範囲によってのみ限定される。
【図１】
2015509780.tif 000003
【図２】
2015509780.tif 000004
【図３】
2015509780.tif 000005
【図４】
2015509780.tif 000006
【図５】
2015509780.tif 000007
【図６】
2015509780.tif 000008
【図７】
2015509780.tif 000009
【図８】
2015509780.tif 000010
【図９】
2015509780.tif 000011
【図１０】
2015509780.tif 000012
【図１１】
2015509780.tif 000013
【国際調査報告】
2015509780.tif 000014